(57)【要約】    【課題】  表示パネルの駆動の際に良好な階調表現を可能にしつつ振動音の減少を図ることができる表示パネルの駆動方法を提供する。    【解決手段】  入力映像信号に基づいて、複数のサブフィールドからなる単位表示期間のシーケンス形態を構築し、視聴者が表示パネルを視聴する際の視聴位置に基づいて得られる視聴位置情報に基づいてシーケンス形態を補正して補正シーケンスとし、この補正シーケンスに基づいて表示パネルを駆動する。    【選択図】  図４
2009122174.tif 000002
【特許請求の範囲】
【請求項１】
画素を担う表示セルの複数が配列された表示パネルを、入力映像信号における単位表示期間毎に複数のサブフィールドにて駆動するに際し、前記サブフィールド各々において前記表示セル各々を前記入力映像信号に基づき点灯モード及び消灯モードの内の一方の状態に設定するアドレス行程と、このアドレス行程に後続し前記点灯モードの状態にある前記表示セルのみを発光させるサスティン行程と、を備えた表示パネルの駆動方法であって、
前記入力映像信号に基づいて、前記複数のサブフィールドからなる前記単位表示期間のシーケンス形態を構築し、視聴者が前記表示パネルを視聴する際の視聴位置に基づいて得られる視聴位置情報に基づいて前記シーケンス形態を補正して補正シーケンスとし、この補正シーケンスに基づいて前記表示パネルを駆動することを特徴とする表示パネルの駆動方法。
【請求項２】
前記視聴位置情報は、前記表示パネルから前記視聴者までの距離である視聴距離であることを特徴とする請求項１記載の表示パネルの駆動方法。
【請求項３】
前記サスティン行程の期間長を補正することにより前記補正シーケンスを構築することを特徴とする請求項１記載の表示パネルの駆動方法。
【請求項４】
前記サスティン行程と前記アドレス行程との間に、全ての駆動パルスを印加しない休止期間を設けることにより前記補正シーケンスを構築することを特徴とする請求項１記載の表示パネルの駆動方法。
【請求項５】
前記視聴距離が、所定の閾値以上の場合に前記補正シーケンスにて前記表示パネルを駆動する一方、前記所定の閾値未満の場合には、前記補正が施される前の前記シーケンス形態にて前記表示パネルを駆動することを特徴とする請求項２に記載の表示パネルの駆動方法。
【請求項６】
前記表示パネルを駆動する際に発生する振動音の特定周波数に対応する期間に含まれる前記サスティン行程の期間長を変更するか、このサスティン行程の直後に前記休止期間を設けることにより前記補正シーケンスを構築することを特徴とする請求項３又は４記載の表示パネルの駆動方法。
【請求項７】
前記特定周波数は１１〜１３ｋHzであることを特徴とする請求項６記載の表示パネルの駆動方法。
【請求項８】
前記視聴位置情報は、前記表示パネルから前記視聴者までの距離である視聴距離であり、前記視聴距離が大となる程、変更される前記サスティン行程の期間長を大とするか、又は前記休止期間を大とすることを特徴とする請求項６記載の表示パネルの駆動方法。
【請求項９】
前記視聴位置情報は、前記視聴位置において駆動時に前記表示パネルから発せられる振動音に対応した特定周波数の情報であり、この特定周波数の情報と、前記シーケンス形態の前記サスティン行程及び前記アドレス行程の期間長に対応した特定周波数の情報と、前記表示パネルの振動特性に対応した特定周波数の情報と、の３つの特定周波数の情報に基づいて、前記補正シーケンスを構築することを特徴とする請求項１記載の表示パネルの駆動方法。
【発明の詳細な説明】
【技術分野】
【０００１】
本発明は、入力映像信号に対応した画像を表示するプラズマディスプレイパネル等の表示パネルの駆動方法に関する。
【背景技術】
【０００２】
現在、薄型平面の表示パネルとしてプラズマディスプレイパネル（以下、ＰＤＰと称する）、或いはエレクトロルミネセントディスプレイパネル（以下、ＥＬＤＰと称する）を搭載した表示装置が知られている。これらＰＤＰ及びＥＬＤＰにおいて各画素を担う発光素子は「点灯」及び「消灯」の２状態しかもたない。そこで、入力された映像信号に対応した中間調の輝度を得るべく、サブフィールド法を用いてＰＤＰ及びＥＬＤＰの如き表示パネルを階調駆動するようにしている。
【０００３】
サブフィールド法では、入力された映像信号における１フィールド表示期間を、夫々に輝度重み（重み比）に対応した発光回数が割り当ててある複数のサブフィールドに分割する。ここで、表示パネルの各画素を入力映像信号に応じて各サブフィールド毎に「点灯」及び「消灯」状態の内の一方の状態に設定し、各サブフィールド毎に「点灯」状態にある画素をそのサブフィールドに割り当てられている重み比に対応した発光回数だけ発光させる。かかる駆動方法によれば、１フィールド表示期間内の各サブフィールドで実行された発光回数の合計により入力映像信号に対応した中間調の輝度が表現される。
【０００４】
更に、入力映像信号に基づき１画面毎に、各輝度毎の頻度を示す輝度頻度データを生成し、かかる輝度頻度データに基づいて全ての輝度領域を対象として、その頻度に応じてサブフィールドの数を調整するようにした駆動方法が提案されている（例えば特許文献１参照）。かかる駆動方法により、頻度が大なる輝度を含む輝度区分領域ほどその輝度区分領域に割り当てるべきサブフィールドの数を多くすれば、入力映像信号に基づく画像の明るさに追従した良好な階調表現（滑らかな輝度変化）が為されるようになる。
【特許文献１】特開２００４−２４０１０３号公報
【発明の開示】
【発明が解決しようとする課題】
【０００５】
しかしながら、サブフィールド法を採用すると、各フィールド構成のうちのサブフィールドのサスティン期間の時間長によっては、表示パネルの前面板と背面板が振動し、その振動音がノイズ（異音）として視聴者に感じることがあった。これは特に、人間が実際に耳障りと感じる高音の可聴帯域である周波数１２ＫＨｚ付近の振動音がノイズとして視聴者に不快に感じられる。
【０００６】
本発明が解決しようとする課題には、上記の問題点が一例として挙げられ、表示パネルの駆動の際に良好な階調表現を可能にしつつ振動音の減少を図ることができる表示パネルの駆動方法を提供することが本発明の目的である。
【課題を解決するための手段】
【０００７】
請求項１に係る発明の表示パネルの駆動方法は、画素を担う表示セルの複数が配列された表示パネルを、入力映像信号における単位表示期間毎に複数のサブフィールドにて駆動するに際し、前記サブフィールド各々において前記表示セル各々を前記入力映像信号に基づき点灯モード及び消灯モードの内の一方の状態に設定するアドレス行程と、このアドレス行程に後続し前記点灯モードの状態にある前記表示セルのみを発光させるサスティン行程と、を備えた表示パネルの駆動方法であって、前記入力映像信号に基づいて、前記複数のサブフィールドからなる前記単位表示期間のシーケンス形態を構築し、視聴者が前記表示パネルを視聴する際の視聴位置に基づいて得られる視聴位置情報に基づいて前記シーケンス形態を補正して補正シーケンスとし、この補正シーケンスに基づいて前記表示パネルを駆動することを特徴としている。
【発明を実施するための最良の形態】
【０００８】
請求項１に係る発明の表示パネルの駆動方法においては、入力映像信号に基づいて、複数のサブフィールドからなる１フィールド等の単位表示期間のシーケンス形態が構築され、視聴者の視聴位置に基づいて得られる視聴位置情報に基づいたシーケンス形態の補正により補正シーケンスが作成され、この補正シーケンスに基づいて表示パネルが駆動される。人間の視覚特性には視聴距離が近いほど階調に敏感になり視聴距離が遠くなる程、鈍感になるという特性があるので、例えば、表示パネルからの視聴者の視聴位置が近い場合には階調重視で各サブフィールドのサスティン期間を設定したシーケンス形態を構築し、表示パネルからの視聴者の視聴位置が遠くなるに従って表示パネルの振動音を抑制するように各サブフィールドのサスティン期間を設定したシーケンス形態を構築することが行われる。よって、表示パネルの駆動の際に良好な階調表現を可能にしつつ振動音の減少を図ることができる。
【実施例】
【０００９】
以下、本発明の実施例を図面を参照しつつ詳細に説明する。
【００１０】
図１は、本発明が適用されたプラズマディスプレイ装置の構成を示す図である。このプラズマディスプレイ装置は、Ａ／Ｄ変換器１、フレームメモリ２、視聴距離センサ３、ＳＦ構築回路４、ＳＦデータ生成回路５、ＳＦメモリ６、駆動制御回路７、アドレスドライバ８、Ｘ電極ドライバ９、Ｙ電極ドライバ１０及びプラズマディスプレイパネル（ＰＤＰ）１１を備えている。
【００１１】
ＰＤＰ１１は、放電ガスが封入されている放電空間を挟んで対向配置された前面透明基板及び背面基板（図示せぬ）を備えている。前面透明基板上には２次元画面の横方向（水平方向）に夫々伸張して配列された行電極Ｘ1〜Ｘn及び行電極Ｙ1〜Ｙnが形成されている。これら行電極Ｘ1〜Ｘn及び行電極Ｙ1〜Ｙnは、夫々一対の行電極Ｘi及びＹi(ｉ：1〜n)にて、ＰＤＰ１１における第１〜第ｎ表示ラインを担っている。背面基板上には、行電極Ｘ1〜Ｘn及び行電極Ｙ1〜Ｙn各々と交叉するように、２次元表示画面の縦方向（垂直方向）に夫々伸張して配列された列電極Ｄ1〜Ｄmが形成されている。上記放電空間を含む各行電極対（Ｘ、Ｙ）と列電極Ｄとの交叉部に、画素としての表示セルＰＣが形成される構造となっている。すなわち、ＰＤＰ１１には、第１行・第１列の表示セルＰＣ(1,1)〜第ｎ行・第ｍ列の表示セルＰＣ(n,m)からなる（ｎ×ｍ）個の表示セルＰＣがマトリクス状に配列されているのである。
【００１２】
Ａ／Ｄ変換器１は、入力映像信号ＶＤを各画素（表示セルＰＣ）毎にその輝度レベルを例えば８ビットで表す画素データＰＤに変換してフレームメモリ２に供給する。フレームメモリ２は、これら画素データＰＤ(1,1)〜ＰＤ(n,m)の各々を順次書き込み、その書き込まれた画素データＰＤ(1,1)〜ＰＤ(n,m)の各々を順次読み出してＳＦデータ生成回路５に供給する。
【００１３】
ＳＦデータ生成回路５は、フレームメモリ２から順次読み出された画素データＰＤに対し、先ず、誤差拡散処理及びディザ処理等からなる多階調化処理を施す。例えば、ＳＦデータ生成回路５は、画素データＰＤの上位ビット群を表示データ、残りの下位ビット群を誤差データと捉える。ＳＦデータ生成回路５は、周辺画素各々に対応した画素データにおける上記誤差データを重み付け加算したものを、上記表示データに反映させることにより誤差拡散処理画素データを得る（誤差拡散処理）。次に、ＳＦデータ生成回路５は、互いに隣接する複数の画素からなる画素群毎に、各画素に対応した上記誤差拡散処理画素データに夫々、互いに異なる係数値からなるディザ係数を夫々割り当てて加算し、その加算結果中の所定の上位ビット群を多階調化画素データとして得る（ディザ処理）。
【００１４】
次に、ＳＦデータ生成回路５は、上記多階調化画素データに基づき、図２に示す如きＮ個（Ｎ：整数）のサブフィールドＳＦ１〜ＳＦＮ各々において、表示セルＰＣを点灯及び消灯モードの内のいずれの状態に設定するのかを各ビット毎に示すＳＦデータＧＤを生成する。なお、１フレーム表示期間内でのサブフィールドの総数Ｎは、ＳＦ構築回路４から供給される後述するＳＦ構築データによって指定された数である。ＳＦデータ生成回路５は、各画素毎のＳＦデータＧＤ各々を順次、ＳＦメモリ６に供給する。
【００１５】
ＳＦメモリ６は、各画素毎のＳＦデータＧＤ各々を順次書き込み、１フレーム分の書き込みが終了する度に、以下の如き読み出し動作を行う。ＳＦメモリ６は、図２に示す如きサブフィールドＳＦ１〜ＳＦＮ各々において、１フレーム分のＳＦデータＧＤ各々から、そのサブフィールドに対応したビット桁を分離して読み出し、各々ＳＦ１〜ＳＦＮのアドレスデータビットＤＢとしてアドレスドライバ８に供給する。
【００１６】
駆動制御回路７は、ＳＦ構築データに基づく図２に示す発光駆動シーケンスに従って、ＰＤＰ１１を駆動すべき各種駆動制御信号を、アドレスドライバ８、Ｘ電極ドライバ９及びＹ電極ドライバ１０からなるパネルドライバに供給する。すなわち、駆動制御回路７は、図２に示す如きサブフィールドＳＦ１〜ＳＦＮ各々において、アドレス行程Ｗ及びサスティン行程Ｉ各々に従った駆動を順次実施させるべき各種制御信号をパネルドライバに供給する。また、駆動制御回路７は、先頭のサブフィールドＳＦ１に限り、アドレス行程Ｗに先立ち、リセット行程Ｒに従った駆動を実施させるべき各種制御信号をパネルドライバに供給する。パネルドライバ（アドレスドライバ８、Ｘ電極ドライバ９及びＹ電極ドライバ１０）は、駆動制御回路７から供給された各種制御信号に応じた駆動パルスを生成してＰＤＰ１１の列電極Ｄ、行電極Ｘ及びＹに供給する。
【００１７】
先ず、先頭のサブフィールドＳＦ１のリセット行程Ｒでは、Ｘ電極ドライバ９及びＹ電極ドライバ１０が、リセットパルスを全ての行電極Ｘ1〜Ｘn及び行電極Ｙ1〜Ｙnに印加する。かかるリセットパルスの印加に応じて、全ての表示セルＰＣ内においてリセット放電が生起され、全表示セルＰＣ内には所定量の壁電荷が形成される。これにより、全ての表示セルＰＣは点灯モードの状態に初期化される。また、サブフィールドＳＦ１〜ＳＦＮ各々のアドレス行程Ｗでは、アドレスドライバ８が、ＳＦメモリ６から供給されたＳＦアドレスデータビットＤＢの論理レベルに対応したパルス電圧を有する画素データパルスを生成する。例えば、アドレスドライバ８は、ＳＦアドレスデータビットＤＢが論理レベル１である場合には高電圧、論理レベル０である場合には低電圧の画素データパルスを生成する。そして、アドレスドライバ８は、かかる画素データパルスを１表示ライン分（ｍ個）ずつの画素データパルス群として列電極Ｄ1〜Ｄmに印加する。更に、アドレス行程Ｗでは、Ｙ電極ドライバ１０が、各画素データパルス群の印加タイミングと同一タイミングにて、走査パルスを行電極Ｙ1〜Ｙnへと順次印加して行く。この際、走査パルスが印加された行電極と、高電圧の画素データパルスが印加された列電極との交叉部の表示セルＰＣにのみ選択的に放電が生じ、その表示セルＰＣ内に残存していた壁電荷が消去される。つまり、壁電荷を失った表示セルＰＣは消灯モードに設定されるのである。一方、かかる放電が生起されなかった表示セルＰＣはその直前までの状態、つまり点灯モード又は消灯モードの状態を維持する。
【００１８】
サブフィールドＳＦ１〜ＳＦＮ各々のサスティン行程Ｉでは、Ｘ電極ドライバ９及びＹ電極ドライバ１０が、そのサブフィールドのサスティン期間の長さ（重み比）に対応した回数分だけ、行電極Ｘ1〜Ｘn及びＹ1〜Ｙnに対して交互に繰り返しサスティンパルスを印加する。従って、Ｘ電極ドライバ９及びＹ電極ドライバ１０は、例えば、サブフィールドＳＦ１のサスティン行程ＩではＳＦ構築データが示すサブフィールドＳＦ１のサスティン期間の長さ（又は重み比）に応じたパルス数、サブフィールドＳＦ２のサスティン行程ＩではＳＦ構築データが示すサブフィールドＳＦ２のサスティン期間の長さ（又は重み比）に応じたパルス数だけ繰り返しサスティンパルスを印加する。かかるサスティンパルスの印加により、壁電荷が残留したままとなっている表示セルＰＣ、すなわち点灯モードの状態にある表示セルＰＣのみが、このサスティンパルスが印加される度にサスティン放電し、そのサスティン放電に伴う発光状態を維持する。
【００１９】
以上の如き駆動により、各フレーム（フィールド）表示期間内において生起されたサスティン放電の総数に対応した輝度が視覚される。
【００２０】
ここで、上述した如きＳＦ構築データは、図１に示されるＳＦ構築回路４にて生成される。
【００２１】
視聴距離センサ３は、ＰＤＰ１１における表示画面と、この表示画面に表示された画像を鑑賞すべく表示画面の前方に存在する視聴者との間の距離（以下、視聴距離Ｌｅと称する）を検出しその距離Ｌｅを示す信号をＳＦ構築回路４に供給する。視聴距離センサ３は、例えば、熱線センサと超音波センサとから構成される。熱線センサは、表示画面の前方に存在する物体（床、壁、椅子等）又は人体から照射される遠赤外線の量を検出し、その検出量が所定量以上となる状態が一定期間継続した場合にのみ人体の存在を検知したことを示す人体検知信号を超音波センサに供給する。超音波センサは、この人体検知信号が供給されていない間において、少なくとも１度だけ表示画面の前方に向けて超音波を照射し、その反射波のパターンを非人体反射パターンとして記憶しておく。一方、上記人体検知信号が供給された際には、超音波センサは、表示画面の前方に向けて超音波を照射し、その反射波のパターン中から上記非人体反射パターンには存在しない反射波を人体反射波として抽出する。そして、超音波センサは、超音波の照射開始からこの人体反射が帰ってくるまでの遅延時間を測定し、かかる遅延時間に基づいて視聴距離を示す視聴距離信号Ｌｅを算出するのである。また、この視聴距離センサ３として、視聴位置にマイクを設置し、プラズマディスプレイ装置に設けられたスピーカーから発せられる音をこのマイクが集音することにより、スピーカーからマイクまでの音の到達時間を検出して、その検出結果に基づいて視聴距離を検出する構成を用いても良い。
【００２２】
視聴距離センサ３は、例えば図３に示す如きプラズマディスプレイ装置の表示面１３の周辺部、つまり画面枠１４の表面上に設置する。
【００２３】
図４は、ＳＦ構築回路４の内部構成の一例を示している。ＳＦ構築回路４はＳＦ生成部４１、ＳＦ補正部４２及びＳＦ選択部４３を備えている。
【００２４】
ＳＦ生成部４１は、入力映像信号に応じて１フィールドの表示期間を複数のサブフィールドＳＦ１〜ＳＦＮに分割して階調重視のサブフィールドを構築し、その構築内容を示す初期ＳＦ構築データを生成する。初期ＳＦ構築データは少なくとも、サブフィールドの数、サブフィールド毎のリセット行程Ｒ、アドレス行程Ｗ及びサスティン行程Ｉの有無及び順番、並びにサスティン行程の期間（サスティン期間）の長さ及び重み比を示す。
【００２５】
ＳＦ補正部４２はＳＦ生成部４１によって生成されたサブフィールドＳＦ１〜ＳＦＮについての初期ＳＦ構築データに応じて周期Ｔ１〜ＴＮ−１を変更した振動音抑制のサブフィールドを構築する。周期Ｔ１〜ＴＮ−１各々は１フィールド表示期間内の時間的に連続する２つのサブフィールドＳＦｊ，ＳＦｊ＋１のうちの前のサブフィールドＳＦｊのサスティン行程開始時から後のサブフィールドＳＦｊ＋１のサスティン行程開始時までの繰り返し期間Ｔである。ｊは１〜Ｎ−１のいずれかの整数である。ＳＦ補正部４２が補正によって生成するサブフィールドの構築は複数のパターンでも良い。この実施例では２つの異なるパターンを示す第１及び第２補正ＳＦ構築データがＳＦ補正部４２から生成されるようにされている。振動音抑制効果は第１補正ＳＦ構築データによる場合に比べて第２補正ＳＦ構築データによる場合の方が大となるようにされている。
【００２６】
ＳＦ選択部４３は、ＳＦ生成部４１及びＳＦ補正部４２に接続されると共に、視聴距離センサ３に接続されている。ＳＦ選択部４３は、ＳＦ生成部４１及びＳＦ補正部４２各々で得られたサブフィールドのＳＦ構築データを選択し、その選択は、視聴距離センサ３によって生成された視聴距離Ｌｅに応じて行われる。
【００２７】
プラズマディスプレイ装置において、視聴者に不快なノイズとして感じられる高音の振動音の周波数は特に１１〜１３KHzの範囲内である。そして、この周波数の範囲から外れる振動音は、この周波数の範囲に比べてあまり視聴者に気にならない振動音である。
【００２８】
この振動音は、各フィールド（フレーム）表示期間内の時間的に連続する２つのサブフィールドのうちの前のサブフィールドのサスティン行程開始時から後のサブフィールドのサスティン行程開始時までを繰り返し期間である周期Ｔ１〜ＴＮ−１に同期して前面板と背面板が振動することにより発生する。
【００２９】
すなわち、周期Ｔ１〜ＴＮ−１の時間間隔が、１１〜１３KHzに該当する７６〜９０μsになった場合に、不快なノイズとして感じられるのである。
【００３０】
図５はＳＦ生成部４１によって生成される初期ＳＦ構築データが示す１フィールド分のサブフィールドＳＦ１〜ＳＦ８の構成例を示している。ここで、１フィールドの表示期間内のサブフィールドの数Ｎを８としている。サブフィールドＳＦ１のＲで示した部分がリセット行程の期間である。サブフィールドＳＦ１ではリセット行程後がアドレス行程であり、サブフィールドＳＦ２〜ＳＦ８各々では開始直後がアドレス行程である。サブフィールドＳＦ１〜ＳＦ８各々のアドレス行程後がサスティン行程である。図５においてサスティン行程の枠内に示された数字がそのサブフィールドの重み比である。各サブフィールドの重み比（サスティン期間の長さに比例する）は、視感度曲線（γ補正カーブ）からＳＦ１≦ＳＦ２≦ＳＦ３≦・・・≦ＳＦ８となっている。
【００３１】
この図５に示すように、サブフィールドＳＦ２のサスティン行程開始時からサブフィールドＳＦ３のサスティン行程開始時までの期間Ｔ２、及びサブフィールドＳＦ３のサスティン行程開始時からサブフィールドＳＦ４のサスティン行程開始時までの期間Ｔ３が、この７６〜９０μs（以下、この範囲７６〜９０μsをＴｒとする）であったとすると、このサブフィールドＳＦ２，ＳＦ３の実行によって不快な振動音が発生する。
【００３２】
これは、振動音を考慮せず、良好な階調表示を目的として１フィールド分の複数のサブフィールドを構築すると、構築された複数のサブフィールドのうちのいずれかの連続する２つのサブフィールドにおいて周期ＴがＴｒに等しくなってしまう可能性が大きいからである。
【００３３】
Ｔｒは７６〜９０μsのようにある程度の幅を持ち、かつ１フィールドの表示期間（６０Hzで１６．７ｍｓ）に比べて、極短い長さであるので、このＴ＝Ｔｒは、各フィールドの表示期間の全サブフィールド中のうちサスティン期間の短い、前半のサブフィールドで発生しやすい。更に、階調表示能力を上昇させるために、１フィールドのサブフィールドの数を多くすればするほど、サスティン期間が短いサブフィールドが多く構築されることになり、これにより１フィールドの期間中の周期Ｔ１〜ＴＮ−１のいずれかがＴｒという周期を持ちやすくなる。
【００３４】
すなわち、階調重視でサスティン期間を設定して各サブフィールドを構築すると、Ｔｒという長さの周期Ｔ（Ｔ１〜ＴＮ−１のいずれか）を有するサブフィールドが生じてしまう。
【００３５】
一方、人間の視覚特性として、視聴距離が近いほど階調に敏感になり視聴距離が遠くなる程、鈍感になるという特性がある。
【００３６】
よって、本実施例では、視聴距離が近い場合は、階調重視のフィールド構成を用いた駆動が行われ、視聴距離が遠い場合は、階調の精細感が気にならないので、振動音の発生を防止するフィールド構成を用いた駆動が行われる。
【００３７】
図６は図５の初期ＳＦ構築データに基づいた第１補正ＳＦ構築データが示す１フィールド分の複数のサブフィールドＳＦ１〜ＳＦ８の構築例を示し、図７は同様に、図５の初期ＳＦ構築データに基づいた第２補正ＳＦ構築データが示す１フィールド分の複数のサブフィールドＳＦ１〜ＳＦ８の構築例を示している。これらの１フィールド構成における１フィールドの表示期間の全サブフィールド数は、図５の全サブフィールド数と同数である。これは、ＳＦ生成部４１で構築された階調特性をなるべく崩したくないためである。
【００３８】
ＳＦ補正部４２は、１フィールドの表示期間毎に図８に示すように、第１及び第２補正ＳＦ構築データを生成するに当たり、初期ＳＦ構築データが示す１フィールドの期間中の周期Ｔ１〜ＴＮ−１のうちのいずれかがＴｒに等しいかを判別する（ステップＳ４２１）。周期Ｔ１〜ＴＮ−１のうちのいずれかがＴｒに等しい場合には、そのＴｒに等しい周期の開始時を有するサブフィールドに対するサスティン期間を増加させるように補正する（ステップＳ４２２）。また、その増加分だけ他のサブフィールドのサスティン期間を減少させる補正を行う（ステップＳ４２３）。このステップＳ４２３は、ステップＳ４２２の重み比加算によって、１フィールド中の長くなった分のサスティン期間を減らして、１フィールド中の合計サスティン期間が補正前と補正後で変わらないようにしている。これにより、加算したサスティン期間分によって、１フィールドという限られた期間（１フィールド６０Hzで１６．７ms）内に、補正後の複数のサブフィールドの合計期間が含まれるのである。また、補正後の複数のサブフィールドにおいても重み比の関係は上記のようにＳＦ１≦ＳＦ２≦ＳＦ３≦・・・≦ＳＦＮとなり、良好な階調再現性が得られる視感度曲線が維持されるように補正される。
【００３９】
第１補正ＳＦ構築データの生成については、例えば、図５の複数のサブフィールドＳＦ１〜ＳＦ８では、周期Ｔ２，Ｔ３がＴｒに等しい。Ｔ２内にサスティン期間が含まれるサブフィールドＳＦ２とＴ３内にサスティン期間が含まれるサブフィールドＳＦ３とに対してサスティン期間を増加させることが行われる。サブフィールドＳＦ２では重み比が２のときにＴｒに等しい周期Ｔ２となり、サブフィールドＳＦ３では重み比が３のときにＴｒに等しい周期Ｔ３となっている。一方、サブフィールドＳＦ４のように重み比が４以上であれば、Ｔｒに等しくない周期Ｔ４〜Ｔ７となっている。よって、ステップＳ４２２では、４−３＝１の重み比をサブフィールドＳＦ２，ＳＦ３各々のサスティン期間の重み比を１だけ増加させる。すなわち、図６に示すように、サブフィールドＳＦ２の重み比が３とされ、サブフィールドＳＦ３の重み比が４とされる。
【００４０】
ステップＳ４２３では、サブフィールド期間の重み比が最大のサブフィールドＳＦ８及び次に大なるサブフィールドＳＦ７各々の重み比が１だけ減少される。すなわち、図６に示すように、サブフィールドＳＦ７の重み比が６とされ、サブフィールドＳＦ８の重み比が７とされる。
【００４１】
図６の第１補正ＳＦ構築データが示すサブフィールドＳＦ１〜ＳＦ８は図５の初期ＳＦ構築データのものに比べ、サブフィールドＳＦ２,ＳＦ３各々のサスティン期間が長くなり低階調の表現能力が劣るものの、Ｔｒを有する周期数が削減され、振動音が少ないフィールド構成となる。
【００４２】
第２補正ＳＦ構築データの生成については、第１補正ＳＦ構築データを更に補正することになる。例えば、図６の複数のサブフィールドＳＦ１〜ＳＦ８では、周期Ｔ２がＴｒに等しい。Ｔ２内にサスティン期間が含まれるサブフィールドＳＦ２に対してサスティン期間を増加させることが行われる。サブフィールドＳＦ２では重み比が３のときにＴｒに等しい周期Ｔ２となっている。よって、ステップＳ４２２では、４−３＝１の重み比をサブフィールドＳＦ２のサスティン期間の重み比を１だけ増加させる。すなわち、図７に示すように、サブフィールドＳＦ２の重み比が４とされる。これにより、この図７の第２補正ＳＦ構築データによるサブフィールドでは全ての周期Ｔ１〜ＴＮ−１がＴｒ以外となるので、振動音抑制効果は第１補正ＳＦ構築データによる場合に比べて第２補正ＳＦ構築データによる場合の方が大となる。
【００４３】
ステップＳ４２３では、サブフィールド期間の重み比が初期ＳＦ構築データにおいて３番目に大きいサブフィールドＳＦ６の重み比が１だけ減少される。すなわち、図７に示すように、サブフィールドＳＦ６の重み比が５とされる。
【００４４】
図７の第２補正ＳＦ構築データが示すサブフィールドＳＦ１〜ＳＦ８は図６の第１補正ＳＦ構築データのものに比べ、サブフィールドＳＦ２のサスティン期間が長くなり低階調の表現能力が劣るものの、振動音発生が更に抑制されたフィールド構成となる。
【００４５】
なお、ステップＳ４２３の重み比の減少をしなくても１フィールドの表示期間内に時間的な余裕がある場合、すなわちステップＳ４２２の増加によっても全てのサブフィールドＳＦ１〜ＳＦＮの合計期間が１フィールドの表示期間内に収まる場合にはステップＳ４２３の処理は省略しても良い。また、ステップＳ４２２の重み比の増加分とステップＳ４２３の重み比の減少分とが等しくなくても良い。
【００４６】
上記の図５の初期ＳＦ構築データが示すサブフィールドＳＦ１〜ＳＦ８では周期Ｔ２，Ｔ３だけがＴｒに等しい場合であったが、初期ＳＦ構築データで３つ以上の周期がＴｒに等しい場合には、Ｔｒに等しい周期の数を段階的に減少させるように第１補正ＳＦ構築データ及び第２補正ＳＦ構築データを作成すれば良い。
【００４７】
このようなフィールド構成を有する初期ＳＦ構築データ、第１及び第２補正ＳＦ構築データがＳＦ選択部４３に供給される。
【００４８】
ＳＦ選択部４３は、図９に示すように、視聴距離センサ３によって生成された視聴距離Ｌｅが第１距離Ｌｅ１未満であるか否かを判別する（ステップＳ４３１）。Ｌｅ＜Ｌｅ１である場合、すなわち視聴距離Ｌｅが近い場合には、ＳＦ生成部４１によって生成された階調重視のサブフィールドの初期ＳＦ構築データを選択する（ステップＳ４３２）。Ｌｅ≧Ｌｅ１の場合には、視聴距離センサ３によって生成された視聴距離Ｌｅが第２距離Ｌｅ２未満であるか否かを判別する（ステップＳ４３３）。第２距離Ｌｅ２は第１距離Ｌｅ１よりも大である。Ｌｅ１≦Ｌｅ＜Ｌｅ２である場合、すなわち視聴距離Ｌｅが若干遠い場合には、ＳＦ補正部４２によって生成された第１補正ＳＦ構築データを選択する（ステップＳ４３４）。第１補正ＳＦ構築データは階調重視に振動音抑制を加味したサブフィールドの構築パターンを示している。Ｌｅ≧Ｌｅ１の場合、すなわち視聴距離Ｌｅがかなり遠い場合には、ＳＦ補正部４２によって生成された第２補正ＳＦ構築データを選択する（ステップＳ４３５）。第２補正ＳＦ構築データは振動音抑制を重視したサブフィールドの構築パターンを示している。ＳＦ選択部４３によって選択されたＳＦ構築データはＳＦデータ生成回路５及び駆動制御回路７に供給される。
【００４９】
よって、視聴者の視聴位置がＰＤＰ１１から第１距離Ｌｅ１より近い位置であれば、階調に敏感な位置である故、初期ＳＦ構築データが選択され、その初期ＳＦ構築データによる駆動シーケンスでＰＤＰ１１が駆動されるので、階調重視の表示を行うことができる。
【００５０】
視聴者の視聴位置がＰＤＰ１１から第１距離Ｌｅ１以上で第２距離Ｌｅ２より近い位置であれば、第１補正ＳＦ構築データが選択され、その第１補正ＳＦ構築データによる駆動シーケンスでＰＤＰ１１が駆動されるので、階調特性を維持しつつＰＤＰ１１の振動音が抑制される。
【００５１】
視聴者の視聴位置がＰＤＰ１１から第２距離Ｌｅ２以上離れた位置であれば、第２補正ＳＦ構築データが選択され、その第２補正ＳＦ構築データによる駆動シーケンスでＰＤＰ１１が駆動されるので、ＰＤＰ１１の振動音抑制が良好となる。
【００５２】
上記した実施例においては、１フィールド表示期間内の時間的に連続する２つのサブフィールドＳＦｊ，ＳＦｊ＋１のうちの前のサブフィールドＳＦｊのサスティン行程開始時から後のサブフィールドＳＦｊ＋１のサスティン行程開始時までの周期がＴｒ以外になるようにするために、サスティン行程の期間が長くされているが、これに限定されない。サスティン行程の期間を長くすることに代えてサスティンパルスが印加されない休止期間Ｐを設けても良い。例えば、図５の初期ＳＦ構築データのサブフィールドＳＦ２の重み比２のサスティン期間及びサブフィールドＳＦ３の重み比３のサスティン期間に対して、第１補正データの生成においては図１０に示すように、重み比１に相当する休止期間Ｐを各々追加するようにしても良い。同様に、第２補正データの生成においては図１１に示すように、初期ＳＦ構築データのサブフィールドＳＦ２の重み比２のサスティン期間に対して重み比２に相当する休止期間Ｐを追加し、サブフィールドＳＦ３の重み比３のサスティン期間に対して重み比１に相当する休止期間Ｐを追加するようにしても良い。
【００５３】
また、上記した実施例においては、３パターンのフィールド構成を示したが、２パターンのフィールド構成でも良い。例えば、上記の初期ＳＦ構築データと第２補正ＳＦ構築データとを用意しておき、視聴距離Ｌｅが所定の距離未満では初期ＳＦ構築データを選択し、視聴距離Ｌｅが所定の距離以上では第２補正ＳＦ構築データを選択するようにしても良い。
【００５４】
更に、図７のサブフィールドＳＦ1とサブフィールドＳＦ２とのように、重み比を補正したサブフィールドと、その１つ前のサブフィールであって重み比を補正していないサブフィールドとの間において重み比の差が大となり、階調表示能力に不具合をきたす場合がある。この場合にはその重み比補正対象外のサブフィールドにおいても重み比を変更しても良い。図７の例では補正対象外のサブフィールドＳＦ１についての重み比を例えば、４にしても良い。
【００５５】
図１２は、ＳＦ構築回路４の内部構成の他の例を示している。この図１２のＳＦ構築回路４はＳＦ生成部４５と、ＳＦ補正部４６とを備えている。ＳＦ生成部４５は上記のＳＦ生成部４１と同様に、入力映像信号に応じて１フィールドの表示期間を複数のサブフィールドＳＦ１〜ＳＦＮに分割して階調重視のサブフィールドを構築してその構築内容を示す初期ＳＦ構築データ生成する。ＳＦ補正部４６はＳＦ生成部４５によって生成されたサブフィールドＳＦ１〜ＳＦＮについての初期ＳＦ構築データを、視聴距離センサ３によって検出される視聴距離Ｌｅに対応した係数ｋに応じて補正する。視聴距離Ｌｅと係数ｋとの関係は図１３に示す通りであり、視聴距離Ｌｅが大なるほど係数ｋが大となる。係数ｋの値はｋ＞１である。視聴距離Ｌｅと係数ｋとの関係はデータテーブルとしてＳＦ補正部４６に保存されている。
【００５６】
ＳＦ補正部４６は、具体的には、図１４に示すように、視聴距離センサ３によって検出された視聴距離Ｌｅを読み取り（ステップＳ４６１）、その視聴距離Ｌｅに対応した係数ｋを上記のデータテーブルを用いて設定する（ステップＳ４６２）。ＳＦ生成部４５によって生成された初期ＳＦ構築データを読み取り（ステップＳ４６３）、その初期ＳＦ構築データが示す複数のサブフィールドＳＦ１〜ＳＦＮのうちのＴｒに等しい周期の開始時を含むサブフィールドがあるか否かを判別する（ステップＳ４６４）。Ｔｒに等しい周期の開始時を含むサブフィールドがあるならば、そのサブフィールドのサスティン期間の長さに係数ｋを乗算してその新たなサスティン期間のサブフィールドを含む複数のサブフィールドＳＦ１〜ＳＦＮを示す補正ＳＦ構築データを生成する（ステップＳ４６５）。その生成された補正ＳＦ構築データはＳＦデータ生成回路５及び駆動制御回路７に供給される。Ｔｒに等しい周期の開始時を含むサブフィールドがないならば、初期ＦＳデータをＳＦデータ生成回路５及び駆動制御回路７にそのまま出力する（ステップＳ４６６）。
【００５７】
サスティン期間の増加部分においては、サスティンパルスを印加するか、又は図１０及び図１１に示したように、本来のサスティン期間後にサスティン期間の増加部分に対応する長さの休止期間Ｐを設けても良い。
【００５８】
図１２のＳＦ構築回路４を備えたプラズマディスプレイ装置によれば、視聴距離Ｌｅの変化に応じて駆動シーケンスが徐々に変化するので、同じ表示内容において急な階調変化がなく視聴者に違和感を与えることがないという利点がある。
【００５９】
また、周期ＴがＴｒとなった場合に、上記したように振動音が発生するが、特に１２ｋHzに該当するＴ≒８３μsで視聴者にとって最も気になる振動音となり、Ｔ＝８３μｓから離れる程、徐々に気にならなくなる特性がある。よって、図１２のＳＦ構築回路４を備えたプラズマディスプレイ装置では、周期Ｔを徐々に大とする構成であるので、視聴距離Ｌｅが大となる程、周期Ｔが８３μsから徐々に大きくなり、気になる振動音が徐々に小さくなっていくことになる。これにより、振動音の急変によって視聴者に違和感を与えることはない。
【００６０】
なお、ステップＳ４６２では視聴距離Ｌｅに対応した係数ｋを設定しているが、視聴距離Ｌｅに対応した加算補正値を設定して良い。この場合には、ステップＳ４６５では、Ｔｒに等しい周期の開始時を含むサブフィールドのサスティン期間の長さに加算補正値を加算してその新たなサスティン期間のサブフィールドを含む複数のサブフィールドＳＦ１〜ＳＦＮを示す補正ＳＦ構築データを生成することが行われる。
【００６１】
図１５は本発明の他の実施例としてプラズマディスプレイ装置の構成を示す図である。このプラズマディスプレイ装置は、上記した如く耳障な振動音として感じる１１〜１３kHzの如き周波数帯以外の可聴ノイズに対する抑制を可能にした装置であり、Ａ／Ｄ変換器１、フレームメモリ２、ＳＦ構築回路４、ＳＦデータ生成回路５、ＳＦメモリ６、駆動制御回路７、アドレスドライバ８、Ｘ電極ドライバ９、Ｙ電極ドライバ１０、プラズマディスプレイパネル（ＰＤＰ）１１及び視聴位置周波数特性検出部１２を備えている。Ａ／Ｄ変換器１、フレームメモリ２、ＳＦデータ生成回路５、ＳＦメモリ６、駆動制御回路７、アドレスドライバ８、Ｘ電極ドライバ９、Ｙ電極ドライバ１０及びプラズマディスプレイパネル（ＰＤＰ）１１については図１に示した装置のものと同一である。
【００６２】
視聴位置周波数特性検出部１２は視聴者の視聴位置における伝送周波数特性を検出する。伝送周波数特性とは視聴位置における周波数毎の音圧レベルの違いを示す周波数特性である。プラズマディスプレイ装置が設置される室内環境では例えば、図１６に示すような振幅で定在波が通常生じるので、同一周波数でも図１６の視聴位置Ｐ１，Ｐ２のように視聴距離の違いに応じて打ち消しあって聞こえにくい位置や、重畳して大きく聞こえる位置が存在する。これは視聴距離に限らず、視聴環境の広さや障害物の有無によっても左右される。
【００６３】
視聴位置周波数特性検出部１２においては、具体的にはフーリエ変換機能を持った既存の周波数測定器が、視聴する予定の視聴位置に設置される。プラズマディスプレイ装置においては複数の異なる時間的な長さのサスティン期間（すなわち、複数の異なる周期Ｔ）を持つテストシーケンスに従ってＰＤＰ１１が駆動され、その視聴位置に設けられた周波数測定器にて伝送周波数特性が測定される。測定された周波数特性は、例えば、図１７に示す通りであり、周波数特性のデータとしてＳＦ構築回路４に供給される。
【００６４】
ＳＦ構築回路４は図１８に示すように、ＳＦ生成部４７、ＳＦ周波数特性算出部４８、周波数特性加算部４９及びＳＦ補正部５０を備えている。
【００６５】
ＳＦ生成部４７は、上記のＳＦ生成部４１と同様に、入力映像信号に応じて１フィールドの表示期間を複数のサブフィールドＳＦ１〜ＳＦＮに分割して階調重視のサブフィールドを構築し、その構築内容を示す初期ＳＦ構築データを生成する。
【００６６】
ＳＦ周波数特性算出部４８は、図１９に示すように、初期ＳＦ構築データが示す複数のサブフィールドからなるフィールド構造（駆動シーケンス）において周期Ｔ１〜ＴＮ−１が時間長Ｌ１，Ｌ２，Ｌ３，……各々のいずれに属するか検出し（ステップＳ４８１）、その検出結果に応じて時間長Ｌ１，Ｌ２，Ｌ３，……各々についての出現回数（頻度）を算出し（ステップＳ４８２）、その時間長Ｌ１，Ｌ２，Ｌ３，……各々についての出願回数に応じて周波数特性を算出する（ステップＳ４８３）。時間長Ｌ１，Ｌ２，Ｌ３，……に対する逆数を取れば、構築したシーケンスにおける発生する特定周波数が求まり、更にその特定周波数毎の出現回数に応じて、その特定周波数における振動音の大きさを算出することができる。すなわち、出現回数が多ければその特定周波数での振動音が大きいと言え、その特定周波数における出現回数に予め求められた係数を積算すれば、その特定周波数による周波数特性を求めることができる。ステップＳ４８３で駆動シーケンスに応じて算出される周波数特性は例えば、図２０に示す通りである。
【００６７】
更に、ＰＤＰ１１の構造により、所定の周波数に共振してその周波数が強調される振動周波数特性が存在する。振動周波数特性はＰＤＰ１１の構造により特定されるものであり、ＳＦ構築回路４内の図示しない保持手段に予め保持されている。振動周波数特性は例えば、図２１に示す通りである。
【００６８】
周波数特性加算部４９は、視聴位置の伝送周波数特性、初期ＳＦ構築データによる駆動シーケンスに応じた周波数特性、及び振動周波数特性各々が示す音の大きさを特定周波数毎に加算してする総合周波数特性を作成する。図２２は図１７、図２０及び図２１の周波数特性に応じて作成された総合周波数特性を示している。
【００６９】
ＳＦ補正部５０は、ＳＦ生成部４７によって生成されたサブフィールドＳＦ１〜ＳＦＮについての初期ＳＦ構築データを周波数特性加算部４９によって得られた総合周波数特性に応じて補正して補正ＳＦ構築データを生成する。具体的には、図２３に示すように、総合周波数特性において閾値以上の音の大きさとなった特定周波数を検出し（ステップＳ５０１）、初期ＳＦ構築データによって示される複数のサブフィールドのうちのその検出特定周波数に対応した時間長の周期Ｔの開始時を含むサブフィールドを検出し（ステップＳ５０２）、初期ＳＦ構築データのうちの検出したサブフィールドのサスティン期間の長さを例えば、重み比１だけ増大させて補正ＳＦ構築データを生成する（ステップＳ５０３）。ステップＳ５０３の補正では検出特定周波数以外の特定周波数の音圧レベルが閾値を越えないように行われる。ＳＦ補正部５０によって生成された補正ＳＦ構築データはＳＦデータ生成回路５及び駆動制御回路７に供給される。
【００７０】
図２２の総合周波数特性の場合には特定周波数ｆｃ，ｆｅの音圧レベルが閾値を越えているので、その周波数ｆｃ，ｆｅがステップＳ５０１では検出される。よって、ステップＳ５０２では初期ＳＦ構築データによって示される複数のサブフィールドのうちのその検出特定周波数ｆｃ，ｆｅに対応した時間長の周期Ｔの開始時を含むサブフィールドが検出され、ステップＳ５０３では初期ＳＦ構築データのうちの検出したサブフィールドのサスティン期間の長さの増大によって補正ＳＦ構築データが生成される。その生成された補正ＳＦ構築データが示すフィールド構造に応じた周波数特性は、図１９の周波数特性に対して図２４に示すようになり、周波数ｆｃ，ｆｅの音圧レベルが減少させる。
【００７１】
また、ステップＳ５０３の補正では図１０及び図１１に示したように、サスティン期間に対して例えば、重み比１に相当する休止期間Ｐを追加するようにしても良い。
【００７２】
なお、上記した各実施例においては、表示パネルとしてＰＤＰが用いられているが、ＥＬＤＰ等の他の表示パネルにも本発明を適用することができる。
【図面の簡単な説明】
【００７３】
【図１】本発明が適用されたプラズマディスプレイ装置の一例の概略構成を示す図である。
【図２】図１の装置中のＰＤＰの駆動シーケンスをなす複数のサブフィールドからなる１フィールド構成の一例を示す図である。
【図３】図１の装置中の視聴距離センサの設置箇所の一例を示す図である。
【図４】図１の装置中のＳＦ構築回路の内部構成の一例を示す図である。
【図５】初期ＳＦ構築データが示す１フィールドの表示期間を構成する複数のサブフィールド各々のサスティン期間の長さを示す図である。
【図６】第１補正ＳＦ構築データが示す１フィールドの表示期間を構成する複数のサブフィールド各々のサスティン期間の長さを示す図である。
【図７】第２補正ＳＦ構築データが示す１フィールドの表示期間を構成する複数のサブフィールド各々のサスティン期間の長さを示す図である。
【図８】図４のＳＦ構築回路中のＳＦ補正部の動作を示すフローチャートである。
【図９】図４のＳＦ構築回路中のＳＦ選択部の動作を示すフローチャートである。
【図１０】第１補正ＳＦ構築データが示す１フィールドの表示期間を構成する複数のサブフィールド各々のサスティン期間及び休止期間各々の長さを示す図である。
【図１１】第２補正ＳＦ構築データが示す１フィールドの表示期間を構成する複数のサブフィールド各々のサスティン期間及び休止期間各々の長さを示す図である。
【図１２】図１の装置中のＳＦ構築回路の内部構成の他の例を示す図である。
【図１３】視聴距離Ｌｅと係数ｋとの関係を示す図である。
【図１４】図１２のＳＦ構築回路中のＳＦ補正部の動作を示すフローチャートである。
【図１５】本発明が適用されたプラズマディスプレイ装置の他の例の概略構成を示す図である。
【図１６】プラズマディスプレイ装置が設置される室内環境における定在波の振幅を示す図である。
【図１７】視聴位置の伝送周波数特性を示す図である。
【図１８】図１６の装置中のＳＦ構築回路の内部構成の一例を示す図である。
【図１９】図１８のＳＦ構築回路中のＳＦ周波数特性算出部の動作を示すフローチャートである。
【図２０】初期ＳＦ構築データに基づく周波数特性を示す図である。
【図２１】振動周波数特性を示す図である。
【図２２】総合周波数特性を示す図である。
【図２３】図１８のＳＦ構築回路中のＳＦ補正部の動作を示すフローチャートである。
【図２４】補正ＳＦ構築データに基づく周波数特性を示す図である。
【主要部分の符号の説明】
【００７４】
２  フレームメモリ
３  視聴距離センサ
４  ＳＦ構築回路
５  ＳＦデータ生成回路
７  駆動制御回路
１２  視聴位置周波数特性検出部
【図１】
2009122174.tif 000003
【図２】
2009122174.tif 000004
【図３】
2009122174.tif 000005
【図４】
2009122174.tif 000006
【図５】
2009122174.tif 000007
【図６】
2009122174.tif 000008
【図７】
2009122174.tif 000009
【図８】
2009122174.tif 000010
【図９】
2009122174.tif 000011
【図１０】
2009122174.tif 000012
【図１１】
2009122174.tif 000013
【図１２】
2009122174.tif 000014
【図１３】
2009122174.tif 000015
【図１４】
2009122174.tif 000016
【図１５】
2009122174.tif 000017
【図１６】
2009122174.tif 000018
【図１７】
2009122174.tif 000019
【図１８】
2009122174.tif 000020
【図１９】
2009122174.tif 000021
【図２０】
2009122174.tif 000022
【図２１】
2009122174.tif 000023
【図２２】
2009122174.tif 000024
【図２３】
2009122174.tif 000025
【図２４】
2009122174.tif 000026